(57)【要約】【課題】オリジナル美術作品の複製品、および、該作品中で示される質感コントラストおよび色調コントラストを有する複製を製作する方法の提供。【解決手段】オリジナル美術作品は、所定の順序で付された異なる材料から成る各種層を有する。最初は基板である。次に、美術作品のための質感コントラストおよび色調コントラストを表す紫外線硬化インクの被着物を有する浮彫り層が基板に付される。次いで、コンピューター化されたカラー印刷層が浮彫り層と組み合わされて、美術作品が作成される。反射面を有する基板の場合は、美術作品の反射率を選択的に低減化させるために基板と浮彫り層との間に白色層を加えらるとよい。【選択図】図１
2006076303.tif 000002
【特許請求の範囲】
【請求項１】
カラー印刷層を作るためのコンピューター・プログラムで、コンピューター化されたカラー・プリンターをプログラムする段階と、
表面を有する基板を用意する段階と、
前記基板の前記表面に浮彫り層を付与する段階であって、前記浮彫り層が粘性の高いインクの被着物を含み、前記粘性の高いインクがＵＶ硬化インクである前記浮彫り層を付与する段階と、
前記美術作品用の質感コントラストおよび色調コントラストを作り出すために、前記浮彫り層における粘性の高いインクから成る前記被着物を、その寸法および配置について、作り出す段階と、
前記粘性の高いインクを紫外線放射で硬化させる段階と、
前記浮彫り層上で、前記カラー印刷層を前記基板に付与して、前記浮彫り層における粘性の高いインクから成る前記被着物を、前記カラー印刷層中に組み入れ、もって美術作品における前記被着物と前記カラー印刷層との組み合わせ表示とするために、前記カラー・プリンターを用いる段階とを含むオリジナル作品の制作方法。
【請求項２】
前記浮彫り層を付与する段階が、
粘性の高いインクから成る前記被着物を透明基体上にスクリーン印刷する段階と、
前記被着物を具備する前記透明基体を、前記基板の前記表面に接合する段階とを含む請求項１に記載されたオリジナル作品の制作方法。
【請求項３】
前記基板の前記表面が反射性であり、前記基板の前記反射面と前記浮彫り層との間に白い層を組み込んで不透明度を与え、もって、前記反射面の選択された部分の反射率を減少させる段階を更に含む請求項１に記載されたオリジナル作品の制作方法。
【請求項４】
前記基板の前記反射面と前記浮彫り層との間に白い層を組み込む段階が、
スクリーン印刷を行なって、透明基体の選択された部分の上に白色インクを付す段階と、
前記白色インクが付された前記透明基体を、前記基板の前記表面に接合する段階とを含む請求項３に記載されたオリジナル作品の制作方法。
【発明の詳細な説明】
【技術分野】
【０００１】
広義の概念で云えば、本発明は、コンピューター技術により、オリジナル美術作品を作成するための装置および器具に係わり、具体的には、陰影、深度および解像度の表現をするための物理的強調がなされた視覚的美術作品に関するものである。限定的な意味ではないが、本発明は、特に、紫外線（ＵＶ）硬化インクおよびコンピューターによるカラー・プリンターを用いたオリジナル美術作品の制作に有利に利用できる。
【背景技術】
【０００２】
全ての美術作品は、形状、美しさ、および、珍しい（または、独特な）知覚を表示する物を作り、または、その表示行為を含む。美術の場合、作品の特徴は、純粋にそれらの美的価値によって識別される。具体的には、美術絵画に関する限り、特定作品の美的価値は、その表現だけではなく、芸術家によって作品に加えられたコントラストにも見いだされる。これらのコントラストは、実際は質感または色調であることがあり、美術作品を格別かつ独特なものにする陰影、深度および解像度を含むだろう。
【０００３】
オリジナル美術作品の複製は、オリジナル作品自体と同様に、価値があることもある。しかし、複製の価値は、多くの場合、複製がオリジナル作品の表現にどの程度忠実であるかによる。例えば、油絵の複製では、芸術家によってオリジナル作品に表されたコントラストを正確に取り込む能力は、複製の価値を大きく高めることができる。個々の美術作品によって、コントラストは、多数かつ多様であり、筆跡および色の変化などの微妙な違いを含む。美術作品に非常に多くを加えるコントラストは巧妙であることが多く、複製が非常に難しいことは、言わずもがなである。
【０００４】
近年、視覚的な作品の複製のために、各種装置および技術が開発されている。ここで特に関心があるのは、原画の題材の色を正確に複製することのできる所謂カラー・プリンターである。一般に、カラー印刷は、それぞれの色が所定の順序で別々に印刷される、いくつかの印刷プロセスのいずれかによって達成される。したがって、重ね合わされた印刷は、正確に合わせられた場合、原画の題材の色と一致する画像を作り上げる。最近、カラー印刷プロセスが、印刷プロセスにコンピューター制御を取り入れることによって大きく改善された。
【０００５】
カラー印刷プロセスは、非常に有効であるが、プロセスで用いられるインクの物理的特性によって幾分制限を受ける。この点に関し、とりわけ重要なことは、使用されるインクの粘性、または、流動抵抗である。一般に、カラー印刷プロセスで用いられるインクは、作業上の理由で、やや低い粘性を有する（すなわち、インクが薄く流れ易い）。したがって、オリジナル美術作品の色が、カラー印刷プロセスを用いて正確に複製されても、結果は、事実上２次元表現である。したがって、カラー印刷プロセスだけでは、美術作品の正確な表現のために決定的に重要である３次元コントラストを作り出すことはできない。
【０００６】
カラー印刷プロセスでの使用に必要な粘性よりもかなり高い粘性を有するインクを、複製美術作品用に３次元効果をもたらすために使用できることが知られている。具体的には、極めて高い粘性のインク（すなわち、所謂、濃いインク）を、スクリーン印刷プロセスによって、効果的に複製美術作品に組み込み得ることが知られている。例えば、「透明体による表示」と題する  Ｌｏｎｇｏｂａｒｄｉ  名義の米国特許第４９３３２１８号は、「極めて厚いインクの隆起」を美術作品に組み込むことによって美術作品に３次元効果を与えるためのスクリーン印刷の利用を開示している。しかしながら、隆起だけでは、美術作品中に見いだされる質感コントラストおよび色調コントラストを再現できない。したがって、高粘性のインクを各種形状、寸法または構成に一致させることが望ましい。しかし、いくつかの例では、広範囲にわたる垂直方向寸法のために、最終製品ができる前に、変形が生じるかもしれない。
【発明の開示】
【発明が解決しようとする課題】
【０００７】
以上に照らし、本発明の目的は、オリジナル美術作品の複製品を提供すること、および、オリジナル美術作品で示された質感コントラストおよび色調コントラストを有する複製品を製作する方法を提供することである。
本発明の別の目的は、オリジナル美術作品の複製品を提供すること、および、美術作品中に見いだされるコントラストを再現し、かつ、そのコントラストを原画の複製品中に組み込むために、スクリーン印刷プロセスとカラー印刷プロセスを共に組み合わせて利用して、前記複製品を製作する方法を提供することである。
本発明の更に別の目的は、オリジナル美術作品の複製品を提供すること、および、各種形状、寸法または構成を提示し、かつ最終製品ができる前に早期の変形を起こすことなく維持できるインクの使用を含む、前記複製品の製作方法を提供することである。
本発明の更に別の目的は、オリジナル美術作品の複製品を提供すること、および、実施が容易で比較的費用対効果の良好な、前記複製品の製作方法を提供することである。
【課題を解決するための手段】
【０００８】
本発明によれば、オリジナルの美術作品中で芸術家によって制作された質感コントラストおよび色調コントラストが複製で表される、オリジナル美術作品の複製を作る方法が開示される。総括すると、本発明で開示された方法および製品は各種材料層の作成と組み合わせを含む。重要なことは、これらの各種層の組み合わせが、事後の、カラー印刷プロセス用の基礎として働く。
【０００９】
本発明の場合、実質的に平坦な表面を有する基板が提供される。表面は反射性または非反射性のいずれであってもよく、また、それは任意の所望の色でもよい。また、基板は紙製であっても、また、アルミニウム・シートなどの反射性材料で形成されていてもよい。さらに、紙製の場合、基板は、表面加工されても、表面加工されていなくても、また、金属箔で覆われていてもよい。
【００１０】
本発明の重要な特徴は、浮彫り層が基板の表面に付与されることである。重要なことは、この浮彫り層が、オリジナル美術作品中に芸術家によって制作されたコントラストに対応するように寸法決めされ配置されたインクの被着物を有することである。好ましくは、浮彫り層が、インクの被着物がその上に置かれた透明プラスチック・シートを含む。次いで、この透明プラスチック・シートを、インクの被着物と共に、直接、基板の表面に接合することができる。或いは、透明プラスチック・シートを使用する必要がなく、代わりに、インクの被着物を基板上に直接置くことができる。どちらの場合も、浮彫り層のインクの被着物は、濃く、極度に粘性の高いインクを使用して、スクリーン印刷プロセスによって制作される。美術の表現が、インクの作品でかなりの３次元変化を必要とする場合には、粘性の紫外線（ＵＶ）硬化インクを使用するのが望ましいことがある。それを使用した場合、それが浮彫り層上に形成された後で、ＵＶ硬化インクを、最終製品を製作する次のステップに進む前に紫外線放射にさらすことで「硬化」させることができる。
【００１１】
スクリーン印刷された後であるがＵＶ硬化の前に、浮彫り層の粘性の高いインクの被着物を、筆またはへら等の道具を用いて手作業でさらに改善することができる。これらの各種道具を用いる目的は、複製中に組み込まれているコントラストを改善することである。例えば、油絵の具体的な場合では、複製中に筆跡の感じを与えるようにコントラストを改善することができる。さらに、複製に追加の質感、深度および鮮明度を与えるために、粘性ＵＶ硬化インクの被着物用の透明または淡色つきインクを選択的に使用して、浮彫り層を作ることができる。
【００１２】
基板の表面が事実上反射性であるときは常に、本発明の場合は任意選択のホワイト層を使用することができる。それを使用した場合、このホワイト層は、基板の反射面と浮彫り層との間に、反射面の選択された部分の反射率を減少させる不透明度を提供するために配置される。浮彫り層と同様に、このホワイト層は、好ましくはスクリーン印刷プロセスによって制作される。また、浮彫り層と同様に、このホワイト層は次に基板の表面に接合できる透明基板を含んでもよい。ホワイト層を使用した場合、浮彫り層をホワイト層上に付着させることになる。
【００１３】
各種層が前記のように組み合わされた後すぐに、カラー印刷層が、複製される美術作品のカラー複写をもつ複製を提供するために浮彫り層の上に配置される。好ましくは、本発明のすべての実施例に対して、浮彫り層が基板の表面とカラー印刷層との間に配置される。この組み合わせでは、浮彫り層のインク被着物は、オリジナルの美術作品からのコントラストとしてカラー印刷層のカラー複写に組み込まれる。
【００１４】
本発明の場合に考えられるように、カラー印刷層の位置決めをコンピューター化することができる。具体的には、カラー印刷層は、コンピューター・プログラムの命令に従って浮彫り層上に被着された複数の各種カラーのインク・ドットを含む。コンピューター・プログラムは、カラー印刷層を浮彫り層に合わせるためにも利用される。
【００１５】
他の美術作品の複製を作るに加えて、本発明の方法およびプロセスは、オリジナル美術作品の制作にも適用できる。これを行うために、芸術家は、芸術家の望みに従うカラー印刷層用のコンピューター・プログラムを準備する。次に、このコンピューター・プログラムは、カラー印刷層生成用のカラー・プリンターを制御するために使用される。浮彫り層も、芸術家の望みに従って芸術家によって準備され、第１のステップで、シルク印刷プロセスによって、基板に置かれまたは接着される。次に、芸術家が望むどのような改善でもさらに加えることによってシルク印刷を向上させることができる。上述のように、浮彫り層への改善を、芸術家が手で導入することができる。具体的には、筆、または、へらなどの道具を使用してそれを行うことができる。ＵＶ硬化インクを使用した場合、次に、浮彫り層を、紫外線放射にさらすことで硬化させることができる。同様に、芸術家は、任意選択のホワイト層を準備し、前記方法でそれを組み込むことができる。次に、浮彫り層およびホワイト層（任意選択）を備える基板を、カラー・プリンターに通して、オリジナル美術作品を制作する。
【００１６】
構造と作業の両方に関する本発明の新規の特徴、並びに本発明自体は、添付の説明と併せて見ると、類似符号は類似部品を示す添付図面から最もよく理解できるだろう。
【実施例】
【００１７】
始めに、図１を参照して、本発明によって製作された美術の複製を示し、全体として１０で示す。より詳細には、図２を参照すると複製１０の構造を最もよく理解することができる。そこでは、複製１０が、ホワイト層１４がその上に付着された基板１２を基本的に含むことがわかるであろう。さらに、ホワイト層１４と浮彫り層１６の両方を基板１２とカラー印刷層１８との間に配置するための基板１２の上には、浮彫り層１６とカラー印刷層１８とがある。複製１０の実際の構造は、図２と図３とを相互参照し、構造の各部分を個別で考えることによって、恐らく最もよく理解できるであろう。
【００１８】
本発明の目的のためには、基板１２は、用紙、金属（例えばアルミニウム）の薄板または、関連技術で知られている他の種類の任意の適切な材料でできていてもよい。基板１２に使用される材料にかかわらず、また基板１２を望むように（図３に示した長方形の形状は一例に過ぎない）成形できるが、基板１２は好ましくは、実質的に平坦な表面２０を有する。本発明の場合に考えられるように、表面２０は反射性または非反射性でもよい。
【００１９】
基板１２の表面２０が実際に反射性である場合には、複製１０はホワイト層１４を含んでもよい。しかし、ホワイト層１４の使用は任意選択である。それを使用した場合、ホワイト層１４は、透明プラスチック・シート２４上に選択的に置くことができる白色の不透明インク２２を含む。次に、ホワイト層１４が基板１２の表面２０に置かれ、ホワイト・インク２２が表面２０の選択された部分を覆う。或いは、ホワイト層１４が透明シート２４を含む必要がなく、代わりにホワイト・インク２２を表面２０の選択された部分に直接塗布する。どちらの場合も、ホワイト層１４のホワイト・インク２２の目的は、表面２０の選択された部分の反射性を効果的に低減させる不透明度を提供することである。このホワイト層１４は任意選択であることを想起されたい。基板１２の表面２０が反射性でない場合には、ホワイト層１４が必要ないこともある。
【００２０】
図３は、浮彫り層１６が粘性の高いインク２６の被着物を含むことを示す。好ましくは、インク２６は透明で、比較的高い粘性を有する。しかし、インク２６は色つきでよい。重要なことは、またカラーにはかかわらず、インク２６の粘性は、インク２６の被着物を、必要に応じて構成することを可能にしなくてはならない。具体的には、浮彫り層１６におけるインク２６の被着物が、範囲、深度および方向を浮彫り層１６内で変更できなければならない。本明細書における目的は、粘性の高いインク２６の被着物にオリジナルの美術作品に見いだされる質感コントラストおよび色調コントラストを複写させ、または模倣させることである。さらに、浮彫り層１６の粘性の高いインク２６の被着物を、各種形状、寸法または構成で提供することが必要であることが理解されるであろう。そうならば、インク２６の被着物の起こりうる早期の変形を防ぐためには、インク２６は、関連技術でよく知られているタイプのＵＶ硬化インクであってもよい。
【００２１】
図３にも示すように、インク２６の被着物を、透明プラスチック・シート２８上に置くことができる。しかし、前記ホワイト層１４と同様に、浮彫り層１６は透明シート２８を含む必要はない。いずれにしても、透明シート２８がある場合もない場合も、浮彫り層１６のインク２６の被着物はホワイト層１４の上に置かれる。ホワイト層１４を使用しない場合には、浮彫り層１６を、基板１２の表面２０に直接置くことができる。
【００２２】
さらに、図３を見ると、カラー印刷層１８が、他の層１４（それを使用した場合）および１６を覆うことが理解されよう。カラー印刷層１８の唯一の目的は、複製される芸術品の忠実なカラー複写をもたらすことである。好ましくは、オリジナルの美術作品のカラーの変化が、コンピューター業界でよく知られた技術によって準備され書き込まれたコンピューター・プログラムによってカラー印刷層１８に複写される。したがって、本発明の複製１０用に考えられるように、カラー印刷層１８が既知のコンピューター技術を用いてデジタル的にカラー化される。
【００２３】
次に、図４を参照して、本発明による複製１０を製作するためのプロセスの模式図を示す。図４を見ると、ホワイト層１４は、それを使用する場合には、表面２０上に置かれて基板１２’を作ることが理解される。好ましくは、これは、ホワイト・インク２２をメッシュ３０上に配置されたマスク（図示せず）通過させるスクリーン印刷プロセスによって行われる。関連技術でよく知られているように、このプロセスにより、ホワイト・インク２２がマスクで覆われていない表面２０の選択された部分のみに塗付されるようになる。
【００２４】
ホワイト層１４を使用できないとしても、浮彫り層１６は基板１２”を作るために接着される。図４に示すように、粘性の高いインク２６を使用して各種方法で、浮彫り層１６を基板１２”に接着することができる。具体的には、粘性の高いインク２６の被着物を、スクリーン印刷プロセスを使用して、基板１２に接着することができる。図４には、このスクリーン印刷プロセスが、ホワイト層１４に関して上記で開示されたのと同様の方法で、マスク（図示せず）と共に使用できるメッシュ３２によって表示されている。別法で、或いはスクリーン印刷プロセスに追加して、粘性の高いインク２６の被着物を、筆３４またはへら３６を使用して、手で基板１２に付着させることができる。この作業に使用される特定の道具にかかわらず、オリジナルの美術作品に見いだされるコントラストが、粘性の高いインク２６の被着物によって複製１０用の浮彫り層１６に複写されることが非常に重要である。前記のとおり、これらのコントラストは、実際上、質感と色調の両方である。
【００２５】
図４は、粘性の高いインク２６がＵＶ硬化インクである場合、ＵＶ源４４を紫外線光で基板１２”を放射するのに使用することができることも示す。関連技術でよく知られているように、ＵＶ硬化インクを紫外線光にさらすことで、速やかに「硬化」を引き起こし、それによって、そうしない場合には起こることがあるインク２６の被着物の変形を防止する。
【００２６】
浮彫り層１６が、基板１２”に接着されるとすぐに、カラー印刷層１８が、複製１０を制作するために組み込まれる。具体的には、図４に示すように、カラー印刷層１８を複製１０に組み込むプロセスがコンピューター化される。任意のよく知られたカラー印刷プロセスと同様に、本発明は、複数の各種カラー・インク３８の使用を考え、そのカラー・インク中で、図４に示したカラー・インク３８ａ、３８ｂおよび３８ｃは説明のためだけのものである。これらのカラー・インク３８の個々の源、並びにコンピューター４０は、それぞれ噴霧器４２に接続される。より具体的には、コンピューター４０は、噴霧器４２に電子的に接続され、事前に準備されたコンピューター・プログラム（図示せず）に従って、コンピューター４０が、カラー印刷層１８を制作するために、噴霧器４２を通るそれぞれのカラー・インク３８の流れを制御する。したがって、本発明による複製１０は、前から後の順序で、カラー印刷層１８と、浮彫り層１６と、ホワイト層１４（任意選択）と、基板１２とを含む。
【００２７】
オリジナルの美術作品を制作するための本発明の技術および方法を使用するとき、芸術家は、各種層１４、１６および１８の制作に関し全体の制御を想定する。特に、浮彫り層１６を制作するために使用されるインク２６の比較的濃い粘性を利用することによって、芸術家は、カラー印刷層１８に、そうでない場合には可能ではない物理的な機能増強を組み込むことができる。より具体的には、オリジナルの美術作品を制作するための本発明によって考えられるように、芸術家は、ホワイト層１４、浮彫り層１６、およびカラー印刷層１８を分離して、個別に、望むように自由に操作することができる。さらに、同じカラー印刷層１８を使用しながら、他の層の少なくとも１つ（例えば、ホワイト層１４または浮彫り層１６）に変化を導入することによって、芸術家は、すべて同じテーマまたは色配合でありながら、異なるコントラストを有する各種の独創的な作品を制作することができる。より具体的には、コンピューター化されたカラー印刷層１８を、各種作品に対する同じテーマまたは色配合を確立するために使用することができる。共通のテーマまたは色配合に関して、ホワイト層１４および／または浮彫り層１６の再構成を、作品毎に実施して、各作品にその作品自体の独創的な質感コントラストおよび色調コントラストを与える範囲、深度および方向の変化を制作することができる。当分野の技術者が理解できるように、浮彫り層１６またはホワイト層１４（それを使用した場合）は同じままで、テーマの色配合、またはテーマ自体も、作品毎に変化させることができる。それぞれの場合、コンピューター化されたカラー・プリンター（例えば、コンピューター４０および霧吹機４２）を使用して、新しい各美術作品用のカラー印刷層１８が貼り付けられる。
【００２８】
本明細書で詳細に示され開示されたようなＵＶ硬化インクを用いて美術作品を製作する具体的な方法は、前述のような本明細書の目的および利点を十分に達成することができるが、それは、単に本発明の現在の好ましい実施例の例に過ぎず、添付の特許請求の範囲に記載されたこと以外、本明細書に示された構造および設計の詳細に限定することが意図されていないことを理解されたい。
【図面の簡単な説明】
【００２９】
【図１】本発明による美術作品の複製の立面図である。
【図２】図１の線２−２に沿って見た複製の断面図である。
【図３】組み合わせて組み込むために配置された複製の各種層を示す本発明による美術複製の分解透視図である。
【図４】本発明による美術複製の製作方法の概略図である。
【図１】
2006076303.tif 000003
【図２】
2006076303.tif 000004
【図３】
2006076303.tif 000005
【図４】
2006076303.tif 000006
【外国語明細書】
2006076303000001.pdf